(57)【要約】【課題】設置の際の作業性に優れ、工期を短縮することができるとともに、メンテナンスが容易であり、建築コスト及びランニングコストの低減が実現できる照明ユニット用連結装置及びそれを用いた照明ユニット、並びにシステム天井を提供する。【解決手段】隣接する照明ユニット１０の一方に備えられたフック機構２のフック２１ｂ近傍に第２接点受け部５２が設けられ、他方の照明ユニット１０内に備えられたピン機構３のピン３１近傍に第１接点受け部５１が設けられ、フック２１ｂをピン３１に係合させ、隣接する照明ユニット１０同士を連結して固定した際、第１接点部４１と第１接点受け部５１とが接続されるとともに、第２接点部４２と第２接点受け部５２とが接続され、第１接点受け部５１と第２接点受け部５２との間がフック部材２１を介して電気的に接続される構成としている。【選択図】図４
2009252562.tif 000002
【特許請求の範囲】
【請求項１】
隣接する照明ユニットの一方に内蔵されるフック機構と、他方の照明ユニットに内蔵されるピン機構とが備えられているとともに、
前記フック機構は、ローター用孔及びフックを具備するフック部材と、偏心軸及び前記フック部材のローター用孔に嵌まる胴部を具備するローターと、該ローターの偏心軸を支持する一対の支持板を具備したフック収納ケースとを備えており、
前記フック機構のローターを回動させて前記フック部材を操作し、前記フックを前記ピン機構のピンに係合させて、前記隣接する照明ユニット同士を連結する照明ユニット用連結装置であって、
前記フック部材には、前記フックの先端側に第１接点部が設けられ、前記フックと前記ローター用孔を介した後端側に、前記第１接点部と電気的に接続された第２接点部が設けられており、
前記一方の照明ユニット内に備えられた前記フック機構には、前記フックの近傍に第２接点受け部が設けられているとともに、前記他方の照明ユニット内に備えられた前記ピン機構には、前記ピンの近傍に第１接点受け部が設けられており、
前記フック機構のフックを前記ピン機構のピンに係合させ、前記隣接する照明ユニット同士を連結して固定した際、前記第１接点部と前記第１接点受け部とが接続されるとともに、前記第２接点部と前記第２接点受け部とが接続され、前記第１接点受け部と第２接点受け部との間が前記フック部材を介して電気的に接続可能とされていることを特徴とする照明ユニット用連結装置。
【請求項２】
前記フック機構において、前記ローターには前記偏心軸の軸方向で略平行に複数の胴部が備えられているとともに、前記フック部材が、複数備えられる前記胴部に応じて、間隙を有して複数備えられており、
前記複数のフック部材に備えられる前記第１接点部及び第２接点部に対応するように、前記一方の照明ユニット内のフック機構に備えられる前記第２接点受け部、及び、前記他方の照明ユニット内のピン機構に備えられる前記第１接点受け部が複数設けられていることを特徴とする請求項１に記載の照明ユニット用連結装置。
【請求項３】
前記第１接点部及び第２接点部、或いは、これらと当接する第２接点受け部及び第１接点受け部の何れか一方がクリップ型接点とされるとともに、他方が刃型接点とされることにより、ナイフスイッチをなしていることを特徴とする請求項１又は２に記載の照明ユニット用連結装置。
【請求項４】
前記ローターは、前記胴部の一方の端部に第１係止部が形成されるとともに、他方の端部に第２係止部が形成されており、
前記フック部材のローター用孔に前記ローターの胴部が挿入され、複数の前記フック部材が前記ローターに回動可能に支持されているとともに、複数の前記フック部材が前記ローターに支持されている状態において、前記第１係止部は、前記偏心軸の軸方向で一端側のフック部材の一側面に対向し、一方、前記第２係止部は、前記偏心軸の軸方向で他端側のフック部材の他側面に対向しており、
前記偏心軸は、複数備えられる前記胴部の内、軸方向において一端側に配される胴部から突出して設けられる第１偏心軸と、他端側に配される胴部から突出して設けられる第２偏心軸とからなり、
前記ローターの第１偏心軸は、フック収納ケースの一対の支持板の一方である第１支持板で支持され、また、前記ローターの第２偏心軸は、フック収納ケースの一対の支持板の他方である第２支持板で支持されていることを特徴とする請求項１〜３の何れか１項に記載の照明ユニット用連結装置。
【請求項５】
発光手段がフレーム内に備えられてなる照明ユニットであって、
前記フレーム内に、請求項１〜４の何れか１項に記載の照明ユニット用連結装置が備えられてなることを特徴とする照明ユニット。
【請求項６】
請求項５に記載の照明ユニットであって、
前記フレームは、上端に建物天井へ吊設するための取付部が設けられ、該取付部の下方が中空部とされているとともに、該中空部の下方に収納凹部が設けられ、該収納凹部が下方に向けて開口されており、
前記発光手段は、発光ダイオードと、該発光ダイオードの出射光を反射させるリフレクタと、これら発光ダイオード及びリフレクタが複数取り付けられる照明筐体とからなる照明モジュールとされており、
該照明モジュールが前記収納凹部の内部に組み込まれてなることを特徴とする照明ユニット。
【請求項７】
前記照明モジュールは、前記フレームに備えられた収納凹部の内部に着脱可能に組み込まれていることを特徴とする請求項６に記載の照明ユニット。
【請求項８】
前記フレーム内に、さらに、前記発光手段に電源を供給するためのケーブル及び電源装置が備えられていることを特徴とする請求項５〜７の何れか１項に記載の照明ユニット。
【請求項９】
請求項５〜８の何れか１項に記載の照明ユニットが複数備えられているとともに、該照明ユニットのフレーム上面に、空調ユニット、エアフィルタユニット又は遮蔽パネルの少なくとも何れかが、各々の縁部が戴置されるように備えられてなることを特徴とするシステム天井。
【発明の詳細な説明】
【技術分野】
【０００１】
本発明は、クリーンルーム等の天井に取り付けられる照明ユニットを連結するための照明ユニット用連結装置及びそれを用いた照明ユニット、並びにシステム天井に関する。
【背景技術】
【０００２】
従来、精密機器の製造工程や検査工程、あるいは研究機関等において用いられるクリーンルーム内の照明装置では、例えば、図１０（ａ）〜（ｃ）に示すような天井フレーム構造とされた照明ユニット１００が知られている。この照明ユニット１００は、上端の取付部１０２が建物天井（スラブ）に吊設され、下方に設けられたメインフレーム１０３の下面に、蛍光灯１１０ａ等からなる照明器具１１０が突出するように取り付けられた構成とされている。そして、天井フレーム１０１に備えられた中空部１０４内には、照明ユニット１００を建物天井に取り付けた後工程で配電ケーブル１１１を配線し、照明器具１１０に対して電源を供給できる構成とされている。また、一般に、上述のような照明ユニットは、建物天井に取り付けて用いられることから、ビス等による取り付けを可能にするため、図示例の天井フレーム１０１のような逆Ｔ字状とされた筐体が用いられている。
【０００３】
そして、図１０に示すような照明ユニット１００は、建物天井に対し、例えば、梁状の支持体と組み合わせることで格子状に取り付けられ、複数組み合わせて用いられる。そして、メインフレームの上面１０３ａの内、中空部１０４との接続箇所以外の領域に、図示略の空調システムやＨＥＰＡ（Ｈｉｇｈ  Ｅｆｆｉｃｉｅｎｃｙ  Ｐａｒｔｉｃｕｌａｔｅ  Ａｉｒ  Ｆｉｌｔｅｒ）ユニット、又は遮蔽パネル等が、格子状に組み合わされた照明ユニット１００と梁状支持体の間に嵌め込まれるようにして各々の縁部が載置されることにより、クリーンルーム等の室内においてシステム天井を構成することができる。
【０００４】
しかしながら、図１０に示すような従来のクリーンルームで用いられる照明ユニット１００は、照明器具１１０がメインフレーム１０３の下方に突出して取り付けられた構成なので、室内の有効階高が低くなり、例えば、空間に限りのあるクリーンルーム等に設置した場合には、スペース効率が低下するとともに、クリーンルーム内での各種作業の際に、蛍光灯１１０ａに使用者の体や器具が接触して蛍光灯１１０ａを破損する虞がある等の問題がある。
また、クリーンルーム等の内部の所定有効階高を確保する場合には、建物天井の高さを照明器具１１０の突出寸法分だけ嵩上げして施工する必要が生じ、建設コストが上昇するという問題がある。さらに、建物天井を高く嵩上げした場合、クリーンルーム内において無駄なスペースが生じ、余分な空気を循環、空調及び清浄化することにより、ランニングコストが上昇するという問題がある。
【０００５】
上述のような問題点を解消するため、メインフレーム内に照明器具が収納される収納凹部を設け、この収納凹部に反射傘と蛍光灯とを備えた照明器具が組み込まれてなる照明ユニット並びにシステム天井が提案されている。（例えば、特許文献１）。
特許文献１に記載の、天井フレーム構造を備えた照明ユニットによれば、上述のように、天井フレームの内部に照明器具が収納されているので、クリーンルーム内のスペース効率を低下させることがなく、また、建物天井を嵩上げして施工する必要が無いので、建設コストやランニングコストが上昇することが無いというものである。
【０００６】
しかしながら、特許文献１に記載されたような照明ユニットを、例えばクリーンルーム等に設置する場合、建物天井の施工後に該建物天井に吊設された天井フレームに対して、建物天井裏側から垂れ下げられて供給される配電ケーブルを、電気工事士が各照明ユニットのフレーム毎に取り付ける際に大きな手間を要するとともに、複数の照明ユニットを連結して使用する場合、隣接する各照明ユニット間の連結作業を行う際に、各照明ユニット間の配線や固定作業に、非常に大きな手間を要するという問題があった。
このような作業を行う場合、例えば、配電ケーブルを各天井フレームに給電配線しながら先端被覆を剥離させて剥き線とし、各蛍光灯具の端子台に接続した後、蛍光灯を１本ずつ設置する作業を行い、さらに、各照明ユニット間の配線についても同様の作業を行うとともに、各照明ユニット間を連結するため、ねじ止め固定等の作業を行う必要があった。このため、工期短縮を図るのが困難であるとともに、照明ユニットを取り付けた後のメンテナンス性が非常に低いという問題があった。
【特許文献１】特許第３５６２６０２号公報
【発明の開示】
【発明が解決しようとする課題】
【０００７】
本発明は上記問題に鑑みてなされたものであり、設置の際の作業性に優れ、工期を短縮することができるとともに、メンテナンスが容易であり、建築コスト及びランニングコストの低減が実現できる照明ユニット用連結装置及びそれを用いた照明ユニット、並びにシステム天井を提供することを目的とする。
【課題を解決するための手段】
【０００８】
本発明者等は、上記問題を解決するために鋭意検討した結果、以下に示す発明を完成するに至った。
【０００９】
［１］  隣接する照明ユニットの一方に内蔵されるフック機構と、他方の照明ユニットに内蔵されるピン機構とが備えられているとともに、前記フック機構は、ローター用孔及びフックを具備するフック部材と、偏心軸及び前記フック部材のローター用孔に嵌まる胴部を具備するローターと、該ローターの偏心軸を支持する一対の支持板を具備したフック収納ケースとを備えており、前記フック機構のローターを回動させて前記フック部材を操作し、前記フックを前記ピン機構のピンに係合させて、前記隣接する照明ユニット同士を連結する照明ユニット用連結装置であって、前記フック部材には、前記フックの先端側に第１接点部が設けられ、前記フックと前記ローター用孔を介した後端側に、前記第１接点部と電気的に接続された第２接点部が設けられており、前記一方の照明ユニット内に備えられた前記フック機構には、前記フックの近傍に第２接点受け部が設けられているとともに、前記他方の照明ユニット内に備えられた前記ピン機構には、前記ピンの近傍に第１接点受け部が設けられており、前記フック機構のフックを前記ピン機構のピンに係合させ、前記隣接する照明ユニット同士を連結して固定した際、前記第１接点部と前記第１接点受け部とが接続されるとともに、前記第２接点部と前記第２接点受け部とが接続され、前記第１接点受け部と第２接点受け部との間が前記フック部材を介して電気的に接続可能とされていることを特徴とする照明ユニット用連結装置。
【００１０】
［２］  前記フック機構において、前記ローターには前記偏心軸の軸方向で略平行に複数の胴部が備えられているとともに、前記フック部材が、複数備えられる前記胴部に応じて、間隙を有して複数備えられており、前記複数のフック部材に備えられる前記第１接点部及び第２接点部に対応するように、前記一方の照明ユニット内のフック機構に備えられる前記第２接点受け部、及び、前記他方の照明ユニット内のピン機構に備えられる前記第１接点受け部が複数設けられていることを特徴とする［１］に記載の照明ユニット用連結装置。
［３］  前記第１接点部及び第２接点部、或いは、これらと当接する第２接点受け部及び第１接点受け部の何れか一方がクリップ型接点とされるとともに、他方が刃型接点とされることにより、ナイフスイッチをなしていることを特徴とする［１］又は［２］に記載の照明ユニット用連結装置。
［４］  前記ローターは、前記胴部の一方の端部に第１係止部が形成されるとともに、他方の端部に第２係止部が形成されており、前記フック部材のローター用孔に前記ローターの胴部が挿入され、複数の前記フック部材が前記ローターに回動可能に支持されているとともに、複数の前記フック部材が前記ローターに支持されている状態において、前記第１係止部は、前記偏心軸の軸方向で一端側のフック部材の一側面に対向し、一方、前記第２係止部は、前記偏心軸の軸方向で他端側のフック部材の他側面に対向しており、前記偏心軸は、複数備えられる前記胴部の内、軸方向において一端側に配される胴部から突出して設けられる第１偏心軸と、他端側に配される胴部から突出して設けられる第２偏心軸とからなり、前記ローターの第１偏心軸は、フック収納ケースの一対の支持板の一方である第１支持板で支持され、また、前記ローターの第２偏心軸は、フック収納ケースの一対の支持板の他方である第２支持板で支持されていることを特徴とする［１］〜［３］の何れかに記載の照明ユニット用連結装置。
【００１１】
［５］  発光手段がフレーム内に備えられてなる照明ユニットであって、前記フレーム内に、［１］〜［４］の何れかに記載の照明ユニット用連結装置が備えられていることを特徴とする照明ユニット。
［６］  上記［５］に記載の照明ユニットであって、前記フレームは、上端に建物天井へ吊設するための取付部が設けられ、該取付部の下方が中空部とされているとともに、該中空部の下方に収納凹部が設けられ、該収納凹部が下方に向けて開口されており、前記発光手段は、発光ダイオードと、該発光ダイオードの出射光を反射させるリフレクタと、これら発光ダイオード及びリフレクタが複数取り付けられる照明筐体とからなる照明モジュールとされており、該照明モジュールが前記収納凹部の内部に組み込まれてなることを特徴とする照明ユニット。
［７］  前記照明モジュールは、前記フレームに備えられた収納凹部の内部に着脱可能に組み込まれていることを特徴とする［６］に記載の照明ユニット。
［８］  前記フレーム内に、さらに、前記発光手段に電源を供給するためのケーブル及び電源装置が備えられていることを特徴とする［５］〜［７］の何れかに記載の照明ユニット。
［９］  上記［５］〜［８］の何れかに記載の照明ユニットが複数備えられているとともに、該照明ユニットのフレーム上面に、空調ユニット、エアフィルタユニット又は遮蔽パネルの少なくとも何れかが、各々の縁部が戴置されるように備えられてなることを特徴とするシステム天井。
【発明の効果】
【００１２】
本発明の照明ユニット用連結装置によれば、フック部材のフック先端側に第１接点部が設けられるとともに、前記フックとローター用孔を介して反対側の端部には前記第１接点部と電気的に接続された第２接点部が設けられ、一方の照明ユニット内に備えられたフック機構に第２接点受け部が設けられているとともに、他方の照明ユニット内に備えられたピン機構に第１接点受け部が設けられており、フック機構のフックをピン機構のピンに係合させ、隣接する照明ユニット同士を連結して固定した際に、第１接点部と第１接点受け部とが接続されるとともに、第２接点部と第２接点受け部とが接続される構成としているので、照明ユニットの機械的固定と電気的接続の両方の作業を、簡単な操作で同時に行なうことが可能となる。
これにより、クリーンルーム等の設置場所において、複数の照明ユニットの建物天井への取付及び配線作業、並びに、照明ユニット間の連結作業を行うのが容易になり、短い工事期間で設置することが可能となる。
従って、設置の際の作業性に優れ、工期を短縮することができるとともに、メンテナンスが容易であり、建築コスト及びランニングコストの低減が実現できる照明ユニット用連結装置及びそれを用いた照明ユニット、並びにシステム天井が得られる。
【発明を実施するための最良の形態】
【００１３】
以下に、本発明に係る照明ユニット用連結装置及びそれを用いた照明ユニット、並びにシステム天井の一実施形態について、図１〜９を適宜参照しながら説明する。
【００１４】
［照明ユニット用連結装置］
本実施形態の照明ユニット用連結装置（以下、連結装置と略称することがある）１は、図１及び図４に示すように、隣接する照明ユニット１０（図４参照）の一方に内蔵されるフック機構２と、他方の照明ユニット１０（図４参照）に内蔵されるピン機構３とが備えられている。フック機構２は、ローター用孔２１ａ及びフック２１ｂを具備するフック部材２１と、偏心軸（第１偏心軸）２２ｂ、偏心軸（第２偏心軸）２２ｃ及びフック部材２１のローター用孔２１ａに嵌まる胴部２２ａ、２２ｊを具備するローター２２と、該ローター２２の偏心軸２２ｂ、２２ｃを支持する一対の支持板２３ａ、２３ｂを具備したフック収納ケース２３とを備えており、フック機構２のローター２２を回動させてフック部材２１を操作し、フック２１ｂをピン機構３のピン３１に係合させて、隣接する照明ユニット１０同士を連結するものである。フック部材２１には、フック２１ｂの先端側に第１接点部４１が設けられ、フック２１ｂとローター用孔２１ａを介した後端側に、第１接点部４１と電気的に接続された第２接点部４２が設けられている。一方の照明ユニット１０内に備えられたフック機構２には、フック部材２１の近傍に第２接点受け部５２が設けられているとともに、他方の照明ユニット１０内に備えられたピン機構３には、ピン３１の近傍に第１接点受け部５１が設けられており、フック機構２のフック２１ｂをピン機構３のピン３１に係合させ、隣接する照明ユニット１０同士を連結して固定した際、第１接点部４１と第１接点受け部５１とが接続されるとともに、第２接点部４２と第２接点受け部５２とが接続され、第１接点受け部５１と第２接点受け部５２との間がフック部材２１を介して電気的に接続可能とされ、概略構成されている。
【００１５】
本実施形態の照明ユニット用連結装置は、上述したように、例えば、クリーンルーム等において建物天井に吊設されて取り付けられる照明ユニット（図６〜８に例示する照明ユニット１０を参照）に用いられるものであり、この照明ユニット１０を複数組み合わせて連結する際、連結装置１によって機械的固定及び電気的接続の両方を容易に行うことができるというものである。さらに、本発明に係る照明ユニット１０に支持梁等が組み合わせられることにより、例えば、格子状に形成された状態としたうえで（図９を参照）、空調ユニット、エアフィルタユニット又は遮蔽パネル等を組み付けることで、本発明に係るシステム天井が得られるというものである。
【００１６】
本実施形態の連結装置１が用いられる照明ユニット１０は、例えば、図６に示す例のような、照明モジュール（発光手段）１６がフレーム１２内に備えられ、このフレーム１２内に本実施形態の連結装置１が備えられたものである。また、図示例の照明ユニット１０は、照明モジュール１６が、フレーム１２において下方に開口するように設けられた収納凹部１７内に組み込まれた構成とされており、照明ユニット１０の一端１０ａ側に、フック機構２及び第２接点受け部５２が備えられ、他端１０ｂ側に、ピン機構３及び第１接点受け部５１が備えられた構成とされている。
照明ユニット１０には、本発明に係る連結装置１が備えられた構成とすることにより、隣接する照明ユニット１０間を、一端１０ａと他端１０ｂとを連結して繋ぎ合わせて設置場所に取り付ける際、隣接する照明ユニット１０間の機械的固定及び電気的接続を、容易な操作によって同時に行なうことができるものである。
【００１７】
フック機構２は、上述したように、ローター用孔２１ａ及びフック２１ｂを具備するフック部材２１と、偏心軸２２ｂ及びフック部材２１のローター用孔２１ａに嵌まる胴部２２ａを具備するローター２２と、該ローター２２の偏心軸２２ｂを支持する一対の支持板２３ａ、２３ｂを具備したフック収納ケース２３とを備えている。
本実施形態のフック機構２は、隣接する照明ユニット１０同士を連結する際に、ローター２２を回動させてフック部材２１を操作し、フック２１ｂをピン機構３のピン３１に係合させ、固定するものである。
【００１８】
フック部材２１は、図１及び図４に示すように、フック収納ケース２３に収納されており、ローター２２の胴部２２ａ、２２ｊが嵌め込まれる略円形のローター用孔２１ａが形成され、本実施形態の連結装置１では、ローター２２の軸方向において２箇所に備えられている。また、フック部材２１は、鉄等の金属材料によって形成され、ローター用孔２１ａの周囲におけるフック部材２１の側面には、係合用突出部２１ｃ及び解除用突出部２１ｄが突出して形成されている。また、フック部材２１の先端にはフック２１ｂが形成されている。
また、フック部材２１には、詳細を後述する各接点部が設けられており、図３に示す例では、フック２１ｂが設けられた先端側の位置に第１接点部４１が設けられ、フック２１ｂとローター用孔２１ａを介した後端側の位置に第２接点部４２が設けられている。
【００１９】
ローター２２は、図１及び図２に示すように、上述のフック部材２１を回動可能に支持するものである。ローター２２は、適度な弾性を有する合成樹脂材料から形成され、軸方向で２箇所に設けられた胴部２２ａ、２２ｊは偏平な略円柱形状とされており、フック部材２１のローター用孔２１ａに、各々が回動可能に嵌め込まれる。また、図２に示すように、同軸方向で２箇所に設けられた胴部２２ａ、２２ｊの内、胴部２２ａの一方の端面、即ち側面からは偏心軸２２ｂが突出して形成されており、また、胴部２２ｊの一方の端面からは、上記偏心軸２２ｂと同軸に形成される偏心軸２２ｃが突出されて形成されている。また、各胴部２２ａ、２２ｊ間には、各偏心軸２２ｂ、２２ｃと同軸の中間偏心軸２２ｉが設けられている。また、同軸に形成される偏心軸２２ｂ、２２ｃ及び中間偏心軸２２ｉの内部には、レンチ係合孔２２ｄが形成されている。
また、胴部２２ａの周面の一端部には、第１係止部である小フランジ２２ｇ及び一対の突起２２ｈが形成されており、一方、胴部２２ａの周面の他端部には、第２係止部である膨出部２２ｅ及びフランジ２２ｆが突出して形成されている。
【００２０】
フック収納ケース２３は、弾性を有するＡＢＳ樹脂等の合成樹脂材料から一体成形され、図１及び図４に示すように、一対の長方形の側壁である支持板２３ａ、２３ｂの一辺を、図示略の可撓性連結部で接続した構造とされている。一方の支持板２３ａは、その中央部に図示略のローター支持孔が突出して形成されている。また、両当接壁２３ｄ、２３ｅの間には、フック移動用空間が形成されている。
他方の支持板２３ｂには、その中央部に、軸受凹部２３ｆが形成されており、この軸受凹部２３ｆの周囲には、同一高さの離脱防止部２３ｇが複数、それぞれ間隔を有して突出して形成されおり、さらに、この離脱防止部２３ｇよりも高いフック用ストッパー２３ｈ及び図示略のフック飛び出し防止部が立設されている。
【００２１】
なお、本実施形態では、フック収納ケース２３を樹脂材料から構成しているが、これには限定されず、他の材料から構成することも可能である。また、本実施形態のフック収納ケース２３は、１枚の板状材料を二つ折りにするように加工されているが、他の方法によって加工することも可能であり、例えば、２枚の板状材料を接合して加工することも可能である。
【００２２】
上述ように構成されているフック部材２１をローター２２に組み付ける際は、まず、ローター２２を傾けた状態とし、偏心軸２２ｂ側からフック部材２１のローター用孔２１ａに挿入して胴部２２ａを嵌め込む。このような嵌め込み操作により、フック部材２１が、ローター２２の膨出部２２ｅ及びフランジ２２ｆと、小フランジ２２ｇ及び突起２２ｈとの間に挟まれた状態となり、回動可能に支持される。次いで、このローター２２を、さらに、偏心軸２２ｃ側から他のフック部材２１のローター用孔２１ａに挿入し、胴部２２ｊを嵌め込み、上述と同様に、フック部材２１が回動可能に支持された状態とする。そして、このような状態でフック部材２１を回動可能に支持しているローター２２を、フック収納ケース２３に取り付ける。
【００２３】
ローター２２をフック収納ケース２３に取り付ける際には、フック収納ケース２３が開いた状態とし、ローター２２の一方の偏心軸２２ｂをフック収納ケース２３の軸受凹部２３ｆに嵌めこむか、又は、ローター２２の他方の偏心軸２２ｃをフック収納ケース２３のローター支持孔（図示略）に嵌め込む。次いで、可撓性連結部（図示略）を折れ目としてフック収納ケース２３を折り曲げ、図示略の係止片を係合孔に係合させる。このようにして、フック収納ケース２３を箱型に組み立てることにより、フック機構２が得られる。このようなフック機構２が組み立てられた状態においては、ローター２２の両側面に突出して設けられている偏心軸２２ｂ、２２ｃが、軸受凹部２３ｆ及びローター支持孔（図示略）に嵌め込まれており、ローター２２はフック収納ケース２３に回動可能に支持された状態となる。また、この際、ローター２２の第２係止部である膨出部２２ｅ及びフランジ２２ｆが、支持板２３ａに当接している。
【００２４】
このようなフック機構２は、図６（図５に示す照明ユニット１０も参照）に示すような、詳細を後述する照明ユニット１０のメインフレーム１５に取り付けられる。このメインフレーム１５には、図示略のフック通過用開口部が形成されている。そして、フック機構２及びメインフレーム１５に備えられる図示略の引っ掛け係合機構を用い、さらに必要に応じてねじ止め手段等を用いることにより、フック機構２をメインフレーム１５に固定し、照明ユニット１０内に収納する。
【００２５】
ピン機構３は、図４及び図５に示すように、上述した一方の照明ユニット１０と隣接する他方の照明ユニット１０内に備えられ、ピン３１を具備するとともに、このピン３１近傍に、詳細を後述する第１接点受け部５１が設けられている。また、図示例のピン機構３は、上述のピン３１及び第1接点受け部５１が、ピンケース３２に収容されている。
ピン３１の材質としては、フック機構２のフック２１と係合した際の固定強度に耐え得る材料であれば、特に限定されることはなく、各種金属材料等、適宜選定して用いることができる。
また、ピンケース３２としては、特に限定されないが、フック機構２のフック収納ケース２３と同じ材料を用いることができ、例えば、ＡＢＳ樹脂等の合成樹脂材料から一体成形して得られるものが使用できる。
このようなピン機構３は、照明モジュール１０のメインフレーム１５に対して、例えば、ねじ止め等の手段で固定されて用いられる。
【００２６】
そして、図４及び図５に示すように、上述のように構成されたフック機構２（連結装置１）が内蔵される照明ユニット１０は、フック機構２とともに連結装置１を構成するピン機構３が内蔵される照明ユニット１０に隣接して配置され、連結される。このように連結する際には、事前にフック部材２１をフック機構２（フック収納ケース２３）内に格納しておくことが、照明ユニット１０同士を固定する作業上、好ましい。図５（図４も参照）に示すように、ローター２２の偏心軸２２ｂのレンチ係合孔２２ｄにレンチＷを挿入係合させ、ローター２２を反時計方向に回動させる。この際、ローター２２の膨出部２２ｅが、フック部材２１の解除用突起部２１ｄに当接し、フック部材２１がローター２２と一体に反時計方向に回動し始める。そして、フック部材２１をフック用ストッパー２３ｈに当接するまで反時計方向に回動させることにより、フック部材２１をフック収納ケース２３に格納することができる。
【００２７】
このようにして、フック部材２１を格納した照明ユニット１０に、ピン機構３を内蔵している照明ユニット１０を、図５に図示するように配置し、次いで、レンチＷを用いてローター２２を時計方向に回動させ、ローター２２の膨出部２２ｅをフック部材２１の係合用突起部２１ｃに当接させる。この際、フック部材２１がローター２２と一体に時計方向に回動し始める。そして、フック部材２１のフック２１ｂが、ピン機構３のピン３１に係合するまでローター２２を回動させる。このように、フック２１ｂとピン３１とを係合させることにより、照明ユニット１０同士が連結固定される。
【００２８】
なお、図５の概略図に示す例のように、本実施形態の連結機構１を構成するフック機構２及びピン機構３は、連結機構１が備えられる照明ユニット１０において、一端１０ａ側にフック機構２が、他端１０ｂ側にピン機構３が、各々内蔵されて構成されている。これにより、複数の照明ユニット１０を順次並べて連結固定することが可能となる。
【００２９】
第１接点部４１は、上述したように、フック部材２１のフック２１ｂの先端側に設けられ、図１及び図４に示す例では刃型接点として構成されている（図５のフック機構２も参照）。
また、第２接点部４２は、フック部材２１において、フック２１ｂとローター用孔２１ａを介した後端側に設けられ、図１及び図４に示す例では、第１接点部４１と同様、刃型接点として構成されている。
そして、本実施形態の連結機構１では、上記第１接点部４１及び第２接点部４２が、金属材料からなるフック部材２１の何れかの箇所に設けられることにより、第１接点部４１と第２接点部４２の間が電気的に導通する構成とされている。
このような第１接点部４１及び第２接点部４２は、後述のクリップ型接点の構造を有する第２接点受け部５２及び第１接点受け部５１と各々組み合わせて接続されることにより、ナイフスイッチタイプの電気スイッチを構成する。
【００３０】
第２接点受け部５２は、照明ユニット１０内に備えられたフック機構２において、フック部材２１の近傍に設けられ、図１及び図４に示す例ではクリップ型接点として構成されている。
また、第１接点受け部５１は、他方の照明ユニット１０内に備えられたピン機構３において、ピン３１の近傍に設けられ、図４に示す例では、第２接点受け部５２と同様、クリップ型接点として構成されている。
【００３１】
そして、本実施形態の連結装置１では、図４及び図５に示すように、上述したような操作によってフック機構２のフック２１ｂをピン機構３のピン３１に係合させ、隣接する照明ユニット１０同士を機械的に連結して固定することができる。そして、連結装置１は、上述のような機械的連結によって固定された際、フック機構２において、第２接点部４２と第２接点受け部５２とが接続される。これと同時に、ピン機構３において、第１接点部４１と第１接点受け部５１とが接続される。これにより、一方の照明ユニット１０内に備えられる第１接点受け部５１と、他方の照明ユニット１０内に備えられる第２接点受け部５２との間が、金属等の導電性材料からなるフック部材２１を介して電気的に接続される。
【００３２】
ここで、本実施形態の連結装置１が備えられる照明ユニット１０は、図５（ｃ）に示す例では、第２接点受け部５２には後述の電源装置５０がケーブル１７を介して接続されており、第１接点受け部５１には、図５中において図示を省略する照明モジュール等が、ケーブル１７を介してそれぞれ接続されるようになっている。
これにより、連結装置１が内蔵される照明ユニット１０の設置工事において、複雑な結線作業等を行なうことなく、隣接する照明ユニット１０間において、照明用の電源等を、互いに供給することが可能となる。
【００３３】
以上説明したような本実施形態の照明ユニット用連結装置１によれば、フック部材２１のフック２１ｂ先端側に第１接点部４１が設けられるとともにフック２１ｂとローター用孔２１ａを介して反対側の端部に、第１接点部４１と電気的に接続された第２接点部４２が設けられ、一方の照明ユニット１０内に備えられたフック機構２に第２接点受け部５２が設けられているとともに、他方の照明ユニット１０内に備えられたピン機構３に第１接点受け部５１が設けられており、フック機構２のフック２１ａをピン機構３のピン３１に係合させ、隣接する照明ユニット１０同士を連結して固定した際に、第１接点部４１と第１接点受け部５１とが接続されるとともに、第２接点部４２と第２接点受け部５２とが接続される構成としているので、照明ユニット１０の機械的固定と電気的接続の両方の作業を、簡単な操作で同時に行なうことが可能となる。
これにより、例えば、本実施形態の連結装置１が備えられた照明ユニット１０をクリーンルーム等に設置する場合には、複数の照明ユニット１０の建物天井への取付及び配線作業並びに照明ユニット１０間の連結作業を行うのが容易になり、短い工事期間で設置することが可能となる。
【００３４】
［照明ユニット］
本実施形態の照明ユニット１０は、図６の断面図に示す例のように、照明モジュール（発光手段）１６がフレーム１２内に備えられており、該フレーム１２内に本実施形態の連結装置１（フック機構２並びにピン機構３）が備えられて概略構成される。また、図示例の照明ユニット１０は、フレーム１２が、上端に建物天井へ吊設するための取付部１３が設けられ、該取付部１３の下方が中空部１４とされているとともに、該中空部１４の下方に収納凹部１７が設けられ、該収納凹部１７が下方に向けて開口した構成とされている。また、照明モジュール１６が、発光ダイオード６２と、該発光ダイオード６２の出射光を反射させるリフレクタ６３と、これら発光ダイオード６２及びリフレクタ６３が複数取り付けられる照明筐体６１とからなり、この照明モジュール１６が収納凹部の内部に組み込まれた構成とされている。
【００３５】
本実施形態の照明ユニット１０は、筐体となるフレーム１２が、取付部１３と中空部１４とメインフレーム１５とが一体化した構成とされており、フレーム１２は、例えば、アルミニウム合金材料等を押し出し成形することによって低コストに得られるものである。
【００３６】
取付部１３は、図６に示す例においてフレーム１２の上端に設けられ、照明ユニット１０をクリーンルーム等の建物天井に吊設する際に、ボルト等を用いて天井に固定されることにより、照明ユニット１０全体を懸吊状態に支持するものである。
図示例の取付部１３は、図示略のボルトによって建物天井に懸吊できるように、スリット１３ａが設けられた構成とされているが、取付部の構成はこれには限定されず、適宜設計して用いることが可能である。
【００３７】
中空部１４は、上述の取付部１３の下方に設けられ、外枠１４ｂによって中空の内部空間１４ａが形成されてなる。
この内部空間１４ａは、後述する発光ダイオードに電流を供給するためのケーブル１７や電源装置５０等を配する空間として用いることができ、この場合には、安全であり且つ美麗な配線構成が可能になる。
【００３８】
収納凹部１７は、フレーム１２の下部に配されたメインフレーム１５によって形成され、下向きに開口する凹部であり、図６に示すように、開口部１７ａが下方に向けて開口して構成されている。
収納凹部１７は、内部空間に照明モジュール１６が組み込まれ、図６に示す例では、コの字型の照明筐体６１が備えられた照明モジュール１６が、弾性部材６８ａを有するねじ込みノブ６８により、メインフレーム１５に設けられた係止部５８に対して、ワンタッチで着脱可能な構成として取り付けられている。この際、照明モジュール１６は、開口部１７ａから収納して固定する。
また、本例の収納凹部１７には、開口部１７ａを覆うとともに、内部の照明モジュール１６の出射光が外部に透過可能とされた透明カバー１８ａが備えられてなる蓋部１８が取り付けられている。図示例の蓋部１８は、開口部１７ａに対し、爪部１８ｂが収納凹部１７内の内縁部１７ｂに係止する片側引っ掛け構造とされ、皿ねじ１９によってねじ止めされ、固定されるように構成されている。
【００３９】
照明モジュール１６の一例を、図７（ａ）、（ｂ）に示す。本例では、複数の発光ダイオード６２と、該発光ダイオード６２の周囲を取り囲むように形成されて反射光を反射させるリフレクタ６３とが照明筐体６１に取り付けられて構成される。
また、図示例の照明モジュール１６は、平面視で長方形状のリフレクタ６３に、複数の発ダイオード６２が取り付けられた実装基板６４が組みつけられ、これらが照明筐体６１内に配列された構成とされている。また、図示例では、各発光ダイオード６２が組み合わされるリフレクタ孔６３ｃが、等間隔をおいて一直線上に配置されている。
【００４０】
照明筐体６１は、発光ダイオード６２が取り付けられる実装基板６４、及びリフレクタ６３が取り付けられる筐体である。本実施形態の照明筐体６１は、図６に示す例では、金属板が折り曲げられ、コの字状に形成されている。
また、照明筐体６１の上面６１ａ側には、上述した弾性部材６８ａを有するねじ込みノブ６８が設けられている。
【００４１】
発光ダイオード６２としては、例えば、従来公知のＬＥＤチップを何ら制限無く用いることができる。図７（ａ）、（ｂ）に示す例では、発光ダイオード６２が蛍光体含有透明樹脂体６０（蛍光体含有透明樹脂）に被覆された状態で実装基板６４上のチップ実装部に実装され、さらに、詳細を後述する複数のリフレクタ孔６３ｃを具備するリフレクタ６３が組み合わされることにより、発光ダイオード６２の各々の出射光が反射され、光が一定方向へ向けて照射される構成とされている。発光ダイオード６２が取り付けられる実装基板６４としては、従来公知のプリント基板等を何ら制限無く用いることができる。
【００４２】
また、図８（ａ）、（ｂ）の部分拡大図に示すように、本実施形態の照明モジュール１６は、リフレクタ孔６３ｃ内に３個の発光ダイオード６２が組み合わされる３チップ構成とされており、これら発光ダイオード６２が蛍光体含有透明樹脂体６０に被覆された状態とされている。図示例では、アルミニウムからなる基板本体６４ａと、該基板本体６４ａ上に積層された絶縁層６４ｂと、該絶縁層６４ｂ上に形成されたＣｕ等の導体からなる配線パターン６４ｃとからなる実装基板６４上において、１箇所のリフレクタ孔６３ｃ内に３個の発光ダイオード６２が組み合わせられている。配線パターン６４ｃは、一対の取出電極パターン６４ｅ、６４ｅと、各取出電極パターン６４ｅの一端側から実装基板６４のほぼ中央に向かって延在する６本の端子電極パターン６４ｆとから構成されている。各端子電極パターン６４ｆには、３つの発光ダイオード６２がそれぞれ接続されており、これにより、各発光ダイオード６２が相互に並列に接続されている。
【００４３】
また、本実施形態では、図８（ａ）、（ｂ）に示す例のように、３個の発光ダイオード６２が、実装基板６４に設けられたチップ実装部のほぼ中央に実装されている。
本例の発光ダイオード６２は、その詳細な図示を省略するが、フェイスアップ構造を有しており、発光ダイオード６２の正電極及び負電極はそれぞれ実装基板６４に接する面と反対側の面に向けられている。そして、図示略のワイヤボンディングによって、正電極及び負電極と端子電極パターン６４ｆとが電気的に接続されている。発光ダイオード６２のサイズは特に限定されないが、０．１ｍｍ〜３０ｍｍ角の大きさが好ましい。
【００４４】
また、発光ダイオード６２は、上述したように、モールド成型された蛍光体含有透明樹脂体６０によって完全に被覆されており、発光ダイオード６２から出射された光が全て蛍光体含有透明樹脂体６０に入射するように構成されている。このような構成により、例えば、発光ダイオード６２として青色発光ダイオードを用い、蛍光体含有透明樹脂に含まれる蛍光体として黄色蛍光体を用いることで、白色光を出射できるようになっている。
【００４５】
リフレクタ６３は、図７（ａ）、（ｂ）又は図８（ａ）、（ｂ）に示すように、例えば、アルミニウムまたはアルミニウム合金からなるリフレクタ本体６３ａに、放物面に形成された反射面６３ｂからなるリフレクタ孔６３ｃが設けられて概略構成されている。また、本実施形態のリフレクタ６３は、図７（ａ）、（ｂ）に例示する概略図のように、複数のリフレクタ孔６３ｃが、実装基板６４上に取り付けられた複数の発光ダイオード６２の数及び位置に合わせるように一列に配列されており、全体形状が平面視で略長方形状とされている。
【００４６】
また、リフレクタ本体６３ａは、その一面６３ｄが実装基板６４に向けられるとともに、他面６３ｅが実装基板６４側とは反対側に向けられた状態で実装基板６４上に載置されている。リフレクタ本体６３ａには、一面６３ｄと他面６３ｅとの間を貫通する上記リフレクタ孔６３ｃが形成されており、このリフレクタ孔６３ｃを区画する壁面が上記反射面６３ｂとされている。また、リフレクタ本体６３ａが実装基板６４に載置されることによって、実装基板６４のチップ実装部上に設けられた発光ダイオード６２がリフレクタ孔６３ｃの内部に配置され、これにより発光ダイオード６２が反射面６３ｂによって囲まれた状態になっている。
【００４７】
そして、上述のようなリフレクタ６３は、照明筐体６１に対し、発光ダイオード６２及び実装基板６４が取り付けられた状態において、図示略のねじ止め手段や係止爪による係合手段等によって取り付けられるように構成される。
なお、図８（ａ）に例示するリフレクタ６３は、リフレクタ孔６３ｃの平面視形状が僅かに長円とされているが、平面視形状が真円状のリフレクタ孔としてもよく、何ら限定されるものではない。
【００４８】
本実施形態の照明装置１に用いられる、上述のような照明モジュール１６は、例えば、以下に詳述するような仕様で構成することができる。
リフレクタとしては、図７（ａ）、（ｂ）に示す概略図のような構成において、例えば、放物面からなるリフレクタ穴６３ｃが１６mmピッチで２行×１５列で配列された、２４０mm×３２mmの長方形状のリフレクタ６３を１単位とする。そして、上記リフレクタ６３と、該リフレクタ６３に合わせた寸法形状とされ、且つ複数の発光ダイオード６２が取り付けられた実装基板６４とが一対とされている。ここで、上記リフレクタ穴６３ｃに合わせ、発光ダイオード６２を各穴に配し、穴の中心軸と発光ダイオード６２の中心軸（図示例においては発光ダイオード６２が被覆される蛍光体含有透明樹脂体６０の中心軸）とが合致する様に位置決めされる。
また、リフレクタ６３は、ポリカーボネイト材料をインジェクション成型することによって得ることができ、リフレクタ穴６３ｃ内の表面にアルミニウムの蒸着が施され、鏡面反射できる構成とすることができる。
【００４９】
また、発光ダイオード６２としては、例えば、０．３５mm角×高さ８０μmの青色ＬＥＤチップからなる発光ダイオードを用いることができる。そして、図８（ａ）、（ｂ）に示すように、このような発光ダイオード６２が３個実装された状態で、黄色発光する蛍光体が透明樹脂に含有されてなる蛍光体含有透明樹脂体６０で封止することにより、白色発光可能な構成とすることができる。また、本例で用いられる発光ダイオード６２は、例えば、２０ｍＡの駆動電流を印加した際、１個あたり１０Ｗの発光出力を発生するものを用いることができる。
さらに、本実施形態では、ＬＥＤチップからなる発光ダイオード６２に代わり、白色ＬＥＤパッケージ等を用いた構成とすることもできる。
そして、上述のような発光ダイオード６２が実装される実装基板６４には、後述のケーブル１７が接続され、このケーブル１７により、照明モジュール１６が、フレーム１２の中空部１４内に設置される後述の電源装置５０に配線接続される構成とすることができる。
以上のように構成された照明モジュール１６は、収納凹部１７内にワンタッチで脱着することが可能である。
【００５０】
ケーブル１７は、照明ユニット１０内における電気的接続に用いられる配電ケーブルであり、従来公知の配電用のケーブルを用いて構成することができる。
本実施形態のケーブル１７は、例えば、収納凹部１７に備えられた図示略の孔部に挿通されることによって中空部１４内に導入され、後述の電源装置５０から出力される駆動電流を照明モジュール１６に供給できるように接続される。
また、ケーブル１７は、図５（ｃ）に示すように、本実施形態の連結装置１を構成する第１接点受け部５１及び第２接点受け部５２に接続されることにより、隣接する他方の照明ユニット１０との間で電気的接続を可能にするものである。
【００５１】
電源装置５０は、中空部１４内に備えられ、商用電源からの供給電源を所定の電圧電流に変換し、定電圧並びに定電流として照明モジュール１６に供給するものである。
本実施形態の電源装置５０は、例えば、建物天井から導出して設けられる商用電源ケーブルからの供給電源、或いは、隣接する他方の照明ユニット１０から連結装置１（フック機構２並びにピン機構３）を介して供給される電源を所定の電圧電流に変換し、定電圧並びに定電流として照明モジュール１６に供給する。
電源装置５０としては、照明モジュール１６に安定した駆動電流を供給できるものであればよく、従来公知の電源装置を用いることができる。
【００５２】
以上説明したような本実施形態の照明ユニット１０によれば、メインフレーム１５内に、上述したようなフック機構２とピン機構３とから構成される連結装置１が備えられているので、例えば、照明ユニット１０同士を設置場所において連結する際、機械的固定と電気的接続の両方の作業を、簡単な操作で同時に行なうことが可能となる。これにより、例えば、クリーンルーム等、照明ユニット１０の設置場所において、容易に照明ユニット１０間の組み付け固定作業を行うことができ、短い工事期間で設置することが可能となる。
【００５３】
また、本実施形態の照明ユニット１０は、フレーム１２内に設けられた収納凹部１７内に、上述したような照明モジュール１６が収納され、また、中空部１４内にケーブル１７及び電源装置５０が配され、組み付けられた状態で、例えば、クリーンルーム等の設置場所に搬入される。これにより、建物天井に対し、ユニット型とされた照明ユニット１０を取り付ける施工方法となるので、工事中に面倒な配線作業等を行う必要が無く、短期間で効率的に工事を行なうことができるというものである。
【００５４】
また、本実施形態のように、照明モジュールとして、複数の発光ダイオード６２並びにリフレクタ（リフレクタ穴６３ｃ）が備えられた照明モジュール１６を用いた構成とした場合には、蛍光灯等の発光体を使用した照明に比べて長寿命となるので、設置場所における交換作業等の頻度を低減することが可能となる。また、照明モジュール１６の交換の必要が生じた場合でも、複数の発光ダイオード５２が備えられた照明モジュール１６をワンタッチで容易に脱着できるので、安全且つ容易に交換作業を行うことが可能となる。
また、本実施形態の照明ユニット１０は、照明モジュール１６が照明ユニット１０の外部に突出しない構成とされているので、設置場所、例えばクリーンルーム等のスペースを有効に使用することが可能となる。また、発光手段である発光ダイオード６２に使用者の体や器具が接触することが無いため、照明モジュールの破損等を防止することができるとともに、照明モジュール１６に塵埃等が堆積するのを防止することができる。
従って、設置工事時の作業性及びメンテナンス性に優れるとともに、スペース効率や耐塵埃性に優れ、建築コスト及びランニングコストの低減が実現できる照明ユニットが得られる。
【００５５】
なお、本実施形態の照明ユニット１０では、照明モジュール１６の収納凹部１７内への取付並びに固定を、弾性部材６８ａを有するねじ込みノブ６８の、メインフレーム１５に設けられた係止部５８に対する係合によって行なう構成としているが、本発明に係る照明ユニットはこれには限定されない。例えば、例えば、照明筐体をコの字形状に構成して、先端部を筒状に折り返して曲げられた形状とし、照明モジュールを収納凹部内に収納した際に、前記先端部が弾性変形によって収納凹部内に設けられた係止部に入り込んで係合する構成としても良い。
また、コの字形状とされた照明筐体の側壁に、ばね手段等によって付勢され、水平方向に可動とされた係合突起を設け、照明モジュールを収納凹部内に収納した際、前記係合突起が収納凹部内に設けられた係止部に入り込んで係合する構成としても良い。
【００５６】
また、図６に示す例の照明ユニット１０では、収納凹部１７の開口部１７ａへの蓋部１８の取付構造を、爪部１８ｂが収納凹部１７内の内縁部１７ｂに係止する片側引っ掛け構造とされ、皿ねじ１９によってねじ止め固定される構成としているが、これには限定されない。
例えば、収納凹部の開口部を覆う蓋部が取り付けられ、該蓋部に備えられた爪部が収納凹部の係止部に係止する両側係止構造としても良い。
また、収納凹部の開口部を覆う蓋部が取り付けられ、該蓋部に備えられた側部が照明筐体の側壁に対して嵌め込まれるように取り付けられた構造としても良い。
【００５７】
また、本実施形態では、連結装置１が備えられる照明ユニットについて、上述したような複数の発光ダイオード６２並びにリフレクタ６３（リフレクタ孔６３ｃ）を具備した照明モジュール１６が備えられてなる照明ユニット１０を例に説明しているが、これには限定されない。例えば、内部に蛍光灯や白熱灯等の照明手段が備えられた照明ユニットに、本発明に係る連結装置１を備えた場合においても、上述と同様の効果が得られる。
【００５８】
［システム天井］
本実施形態のシステム天井７０は、上述した本発明に係る連結装置１（フック機構２並びにピン機構３）が備えられてなる照明ユニット１０を用いて構成されるものであり、図９に示すように、上記照明ユニット１０が複数備えられているとともに、該照明ユニット１０のフレーム１２に設けられた収納凹部１７の上面１５ａに、空調ユニット７１、エアフィルタユニット７２又は遮蔽パネル７３の少なくとも何れかが、各々の縁部が戴置されるように備えられ、概略構成される。また、図示例においては、上述した空調ユニット７１、エアフィルタユニット７２及び遮蔽パネル７３の何れもが備えられた構成とされている。
【００５９】
図９に示すシステム天井７０は、建物天井（上階スラブ）８０に、上記照明ユニット１０が、吊りボルト７４及び懸吊具７５並びに天井吊りボルト７６を介して取り付けられており、図示例では平行に縦列させるように配して取り付けられている。また、これら照明ユニット１０の間には、長方形状の照明ユニット１０と直交する方向で、長方形状の支持梁７７が、図示略のねじ止め手段によって複数取り付けられており、これによって図示例のような格子状の梁が形成されている。
【００６０】
そして、上述のような、照明ユニット１０と支持梁７７とで形成される格子領域に、空調ユニット７１及びエアフィルタユニット７２並びに遮蔽パネル７３を適宜配置して組み付ける。この際、上記空調ユニット７１、エアフィルタユニット７２及び遮蔽パネル７３は、各々の周縁部が照明ユニット１０のメインフレーム上面１５ａに載置されることによって建物天井８０の下方に支持される。
【００６１】
ここで、照明ユニット１０は、本発明に係る連結装置１が用いられてなるものなので、隣接する各照明ユニット１０間を容易な操作で連結することができるとともに、機械的固定及び電気的接続の両方を確実に行なうことができる。
また、本実施形態のシステム天井７０に用いられる照明ユニット１０は、照明モジュール１６に駆動電流を供給するケーブル１７及び電源装置５０が中空部１４内に予め収納されているので、建物天井８０に吊設した状態で複雑な配線作業を行う必要が無く、工事が容易となり、作業条件が向上するとともに工期の大幅な短縮が可能となる。また、照明モジュール１６がフレーム１２の収納凹部１７内に収納された構成なので、設置場所の空間に照明モジュール（照明手段）が突出することが無く、例えば、建物天井８０の高さ変更等、設計や施工上の変更が生じることが無く、また、設置場所のスペースを犠牲にすることが無い。
【００６２】
なお、図９に例示する本実施形態のシステム天井７０では、上述のように、建物天井８０に、照明ユニット１０が、吊りボルト７４及び懸吊具７５並びに天井吊りボルト７６を介して取り付けられた構成としているが、これには限定されない。例えば、懸吊具７５並びに天井吊りボルト７６を介さずに、吊りボルト７４が建物天井８０に取り付けられた構成としても良いし、又は、照明ユニット１０の取付部１３が建物天井８０に直付けされた構成とすることもできる。
また、図示例のシステム天井７０では、照明ユニット１０と直交するように支持梁７７が複数取り付けられ、格子状の梁が形成された構成としているが、例えば、支持梁７７を使用せず、格子を形成する全ての梁を照明ユニット１０で構成することも可能である。
【００６３】
また、上述したような本実施形態のシステム天井７０によれば、本発明に係る照明ユニット１０を用いて構成されるシステム天井なので、上述した照明ユニット１０と同様の効果が得られる。例えば、本実施形態のシステム天井７０をクリーンルーム等の天井として設置した場合、設置場所において、容易に照明ユニット１０や空調ユニット７１、エアフィルタユニット７２や遮蔽パネル７３等の組み付け工事を容易に行なうことができ、より短い工事期間で設置することが可能となる。また、照明モジュールが設置場所であるクリーンルーム内に突出することが無いので、設置場所のスペースを有効に使用することが可能となる。
【００６４】
また、本実施形態では、システム天井７０に備えられる照明ユニットとして、上述したような、複数の発光ダイオード６２並びにリフレクタ６３（リフレクタ孔６３ｃ）を具備した照明モジュール１６が備えられてなる照明ユニット１０が用いられているので、より長寿命の照明器具となり、交換作業等の頻度を低減できるとともに、照明モジュール１６をワンタッチで容易且つ安全に脱着することができる。
従って、設置工事時の作業性及びメンテナンス性に優れるとともに、スペース効率や耐塵埃性に優れ、建築コスト及びランニングコストの低減が実現できるシステム天井７０が得られる。
【００６５】
なお、本実施形態のシステム天井７０は、クリーンルームに設置する例を基本に説明しているが、本発明に係る照明ユニット及びシステム天井は、これに限らず、例えば、各種検査機関や食品工場、又は倉庫等、各種建物空間において何ら制限無く使用することが可能であり、この場合にも、上述と同様の効果が得られることは言うまでも無い。
【図面の簡単な説明】
【００６６】
【図１】本発明に係る照明ユニット用連結装置の一例を模式的に説明する図であり、フック機構の構造を示す部分破断図である。
【図２】本発明に係る照明ユニット用連結装置の一例を模式的に説明する図であり、フック機構に用いられるローターの構造を示す概略図である。
【図３】本発明に係る照明ユニット用連結装置の一例を模式的に説明する図であり、フック機構に用いられるフック部材の構造を示す平面図である。
【図４】本発明に係る照明ユニット用連結装置の一例を模式的に説明する図であり、連結固定されるフック機構及びピン機構の構造を示す部分破断図である。
【図５】本発明に係る照明ユニット用連結装置の一例を模式的に説明する図であり、連結装置が備えられた照明ユニット間を連結固定した際の構造を示す概略図である。
【図６】本発明に係る照明ユニットの一例を模式的に説明する図であり、照明ユニット全体の構造を示す破断図である。
【図７】本発明に係る照明ユニットの一例を模式的に説明する図であり、（ａ）が照明モジュール全体を示す平面図、（ｂ）が（ａ）のＡ−Ａ´断面図である。
【図８】発明に係る照明ユニットの他例を模式的に説明する図であり、（ａ）が照明モジュールの部分平面図、（ｂ）が（ａ）のＢ−Ｂ´断面図である。
【図９】本発明に係るシステム天井の一例を模式的に説明する図であり、クリーンルームの天井としてシステム天井を取り付けた状態を示す概略図である。
【図１０】従来の照明ユニットの取り付け状態を説明する概略図である。
【符号の説明】
【００６７】
１…照明ユニット用連結装置、２…フック機構、２１…フック部材、２１ａ…ローター用孔、２１ｂ…フック、２２…ローター、２２ａ、２２ｊ…胴部、２２ｂ…偏心軸（第１偏心軸）、２２ｃ…偏心軸（第２偏心軸）、２２ｅ…膨出部（第２係止部）、２２ｆ…フランジ（第２係止部）、２２ｇ…小フランジ（第１係止部）、２２ｈ…突起（第１係止部）、２３…フック収納ケース、２３ａ…支持板（第２支持板）、２３ｂ…支持板（第１支持板）、３…ピン機構、３１…ピン、４１…第１接点部、４２…第２接点部、５１…第１接点受け部、５２…第２接点受け部、１０…照明ユニット、１２…天井フレーム、１３…取付部、１４…中空部、１５…メインフレーム、１５ａ…縁部、１７…収納凹部、１６…照明モジュール、６１…照明筐体、６２…発光ダイオード、６３…リフレクタ、６３ｃ…リフレクタ孔、１７…ケーブル、５０…電源装置、７０…システム天井、７１…空調ユニット、７２…エアフィルタユニット、７３…遮蔽パネル、８０…建物天井
【図１】
2009252562.tif 000003
【図２】
2009252562.tif 000004
【図３】
2009252562.tif 000005
【図４】
2009252562.tif 000006
【図５】
2009252562.tif 000007
【図６】
2009252562.tif 000008
【図７】
2009252562.tif 000009
【図８】
2009252562.tif 000010
【図９】
2009252562.tif 000011
【図１０】
2009252562.tif 000012